【手続補正書】
【提出日】平成18年9月12日(2006.9.12)
【手続補正１】
【補正対象書類名】明細書
【補正対象項目名】特許請求の範囲
【補正方法】変更
【補正の内容】
【特許請求の範囲】
【請求項１】  ヒトまたは非ヒト動物患者における細菌、酵母、真菌または寄生虫因子の予防的または治療的抑制用の医薬組成物であって、多数の末端基を持ちそれら末端基の少なくとも一つがそれに結合または連結された陰イオンまたは陽イオン含有部分を有するデンドリマーを医薬的に許容できる担体又は希釈剤と共に含む医薬組成物。
【請求項２】  前記化合物が少なくとも2つの樹状分岐に共有結合した多価コアを含み、少なくとも二世代にわたって広がっているデンドリマーである請求項１に記載の医薬組成物。
【請求項３】  前記デンドリマーがアンモニアコアに基づくポリアミドアミンデンドリマーである請求項２に記載の医薬組成物。
【請求項４】  前記デンドリマーがエチレンジアミンコアに基づくポリアミドアミンデンドリマーである請求項２に記載の医薬組成物。
【請求項５】  前記デンドリマーがベンズヒドリルアミンコアまたは他の適当なコアに基づくポリリジンデンドリマーである請求項２に記載の医薬組成物。
【請求項６】  前記デンドリマーがポリ(プロピレンイミン)デンドリマーである請求項２に記載の医薬組成物。
【請求項７】  前記化合物が一般式Ｉ：
【化１】
2002524524.tif 000001
［式中、
Ｉは開始コア、
Ｚは内部分岐単位、
ｎはそのデンドリマーの世代数を表わす整数、
Ａは随意の連結基Ｘを介して内部分岐単位Ｚに連結されてもよい陰イオンまたは陽イオン含有部分である］
のポリイオン性デンドリマーである請求項２に記載の医薬組成物。
【請求項８】  前記化合物において、1または複数の前記陰イオンまたは陽イオン含有部分がアミド結合またはチオ尿素結合によってアミン、スルフヒドリル、ヒドロキシまたは他の反応性末端基に結合される請求項１〜７のいずれか一項に記載の医薬組成物。
【請求項９】  前記化合物において、前記陰イオンまたは陽イオン含有部分が、スルホン酸含有部分、カルボン酸含有部分（ノイラミン酸およびシアル酸含有部分ならびに修飾ノイラミン酸およびシアル酸含有部分を含む）、ボロン酸含有部分、リン酸およびホスホン酸含有部分（エステル化されたリン酸およびホスホン酸含有部分を含む）、1級、2級、3級または4級アミノ含有部分、ピリジニウム含有部分、グアニジウム含有部分、アミジニウム含有部分、フェノール含有部分、酸性または塩基性水素を有する複素環、両性イオン含有部分からなる群より選択される請求項１〜８のいずれか一項に記載の医薬組成物。
【請求項１０】  前記化合物において、デンドリマーのアミノ末端基または他の反応性末端基に結合される1または複数の部分が、以下の基（式中、ｎは0または正の整数である）から選択される請求項１〜９のいずれか一項に記載の医薬組成物：
-NH(CH2)ｎS03−、-(CH2)ｎSO3−、-Ar(S03−)ｎ、-CH2CH(S03−)COOH、-CH(S03−)CH2COOH、-ArX(CH2)ｎSO3−  ［X＝O、S、NH］、-(CH2)ｎN＋Me3、-Ar(N＋Me3)ｎ、-Ar(CH2N＋Me3)ｎ、
【化２】
2002524524.tif 000002
-ArXP(＝0)(OR)2  ［X＝0、CH2、CHF、CF2；R＝アルキル、アリール、H、Na］、-ArXP(＝O)(OR1)(NR2R3)  ［X＝0、CH2、CHF、CF2；R1＝アルキル、アリール、H、Na；R2，R3＝アルキル、アリール］、-Ar[P(＝0)(OR)2]ｎ  ［R＝アルキル、アリール、H、Na；n＝1〜3］、-Ar[B(OH)2]ｎ  ［n＝1〜3］、-Ar[COOH]ｎ［n＝1〜3］、
【化３】
2002524524.tif 000003
【化４】
2002524524.tif 000004
［R＝アルキルまたはアリールアルキル；R1，R2，R3（これらは同一でも異なってもよい）＝アルキルまたはアリールアルキル］。
【請求項１１】  前記化合物が、
i）アルキルスルホン酸末端デンドリマー、
ii）スルホアセトアミド末端デンドリマー、
iii）スルホスクシンアミド酸末端デンドリマー、
iv）N-(2-スルホエチル)スクシンアミド末端デンドリマー
v）4-スルホフェニルチオ尿素末端デンドリマー、
vi）3,6-ジ-スルホナフチルチオ尿素末端デンドリマー、
vii）4-スルホナフチルチオ尿素末端デンドリマー、
viii）3,5-ジ-スルホフェニルチオ尿素末端デンドリマー、
ix）3,6,8-トリ-スルホナフチルチオ尿素末端デンドリマー、
x）4-(スルホメチル)ベンズアミド末端デンドリマー、
xi）4-スルホベンズアミド末端デンドリマー、
xii）N-(4-スルホフェニル)プロパンアミド末端デンドリマー、
xiii）4-スルホフェニル尿素末端デンドリマー、
xiv）N,N,N-トリ-メチルグリシンアミド末端デンドリマー、
xv）4-トリメチルアンモニウムベンズアミド末端デンドリマー、
xvi）4-(トリメチルアンモニウムメチル)ベンズアミド末端デンドリマー、
xvii）N-(2-アセトキシエチル)-N,N-(ジメチルアンモニウム)メチル-カルボキサミド末端デンドリマー、
xviii）グアニジノ末端デンドリマー、
xix）4-([1,4,8,11-テトラアザシクロテトラデカン]メチル)ベンズアミド末端デンドリマー、
xx）4-カルボキシ-3-ヒドロキシ-ベンジルアミン末端デンドリマー、
xxi）4-カルボキシフェニルアミド末端デンドリマー、
xxii）3,5-ジカルボキシフェニルアミド末端デンドリマー、
xxiii）4-ホスホノオキシフェニルチオ尿素末端デンドリマー、
xxiv）4-(ホスホノメチル)フェニルチオ尿素末端デンドリマー、
xxv）エチル-4-(ホスホノメチル)フェニルチオ尿素末端デンドリマー、
xxvi）(8-オクタンアミド)-5-アセトアミド-3,5-ジデオキシ-2-チオ-D-グリセロ-α-D-ガラクト-2-ノヌロピラノシド酸末端デンドリマー、
xxvii）(11-ウンデカンアミド)-5-アセトアミド-3,5-ジデオキシ-2-チオ-D-グリセロ-α-D-ガラクト-2-ノヌロピラノシド酸末端デンドリマー、
xxviii）(アセトアミド)-5-アセトアミド-3,5-ジデオキシ-2-チオ-D-グリセロ-α-D-ガラクト-2-ノヌロピラノシド酸末端デンドリマー、
xxix）(4-ブタンアミド)-5-アセトアミド-3,5-ジデオキシ-2-チオ-D-グリセロ-α-D-ガラクト-2-ノヌロピラノシド酸末端デンドリマー、
xxx）(4-メチルベンズアミド)-5-アセトアミド-3,5-ジデオキシ-2-チオ-D-グリセロ-α-D-ガラクト-2-ノヌロピラノシド酸末端デンドリマー、
xxxi）(8-オクタンアミド)-4-アジド-5-アセトアミド-3,4,5-トリデオキシ-2-チオ-D-グリセロ-α-D-ガラクト-2-ノヌロピラノシド酸末端デンドリマー、
xxxii）(8-オクタンアミド)-4-アミノ-5-アセトアミド-3,4,5-トリデオキシ-2-チオ-D-グリセロ-α-D-ガラクト-2-ノヌロピラノシド酸末端デンドリマー、
xxxiii）4-ベンズアミドボロン酸末端デンドリマー、
xxxiv）3,5-ジカルボキシフェニルチオ尿素末端デンドリマー、
xxxv）4-ホスホノオキシフェニルチオ尿素末端デンドリマー、
xxxvi）4-ホスホノフェニルチオ尿素末端デンドリマー、
xxxvii）4,6-ジホスホノナフチルチオ尿素末端デンドリマー、
xxxviii）フルオレセインチオ尿素末端デンドリマー、
xxxix）(フェニル-3-ボロン酸)-チオ尿素末端デンドリマー、
xl）ピリジニウムドデシルカルボキサミド末端デンドリマー、および
xll）サッカリン末端デンドリマー、
からなる群より選択される請求項１〜１０のいずれか一項に記載の医薬組成物。
【請求項１２】  前記の抑制が細菌、酵母または真菌病原体または寄生虫病原体の抑制を含む請求項１〜１１のいずれか一項に記載の医薬組成物。
【請求項１３】  ヒトまたは非ヒト動物患者における細菌、酵母、真菌または寄生虫因子の予防的または治療的抑制用医薬またはその医薬の製造における請求項１〜１１のいずれか一項に記載の陰イオン性または陽イオン性デンドリマーの使用。